【手続補正書】
【提出日】平成20年6月12日(2008.6.12)
【手続補正１】
【補正対象書類名】特許請求の範囲
【補正対象項目名】全文
【補正方法】変更
【補正の内容】
【特許請求の範囲】
【請求項１】
受信用アンテナと、
この受信用アンテナの受信特性を変更させる特性変更手段と、
前記受信用アンテナにより受信された受信信号の受信品位を検出する受信品位検出手段と、
この受信品位検出手段による検出結果に基づいて前記受信用アンテナの受信特性を変更させるように前記特性変更手段を制御するアンテナ制御手段と、
を備え、
前記アンテナ制御手段は、
前記受信品位検出手段により検出された現在の受信品位の値と前回検出された受信品位の値とを比較する比較手段と、
この比較手段により現在の受信品位の値が前回検出された受信品位の値より悪くなったと判断された場合に、前記受信用アンテナの受信特性を変更させるように前記特性変更手段を制御する変更制御手段と、
を有することを特徴とする受信装置。
【請求項２】
受信用アンテナと、
この受信用アンテナの受信特性を変更させる特性変更手段と、
前記受信用アンテナにより受信された受信信号の受信品位を検出する受信品位検出手段と、
この受信品位検出手段による検出結果に基づいて前記受信用アンテナの受信特性を変更させるように前記特性変更手段を制御するアンテナ制御手段と、
を備え、
前記アンテナ制御手段は、
前記受信品位検出手段により検出された受信品位の値と予め設定された閾値とを比較する第１の比較手段と、
前記受信品位検出手段により検出された現在の受信品位の値と前回検出された受信品位の値とを比較する第２の比較手段と、
前記第１の比較手段により受信品位の値が前記閾値より悪いと判断され、且つ、前記第２の比較手段により現在の受信品位の値が前回検出された受信品位の値より悪いと判断された場合に、前記受信用アンテナの受信特性を変更させるように前記特性変更手段を制御する変更制御手段と、
を有することを特徴とする受信装置。
【請求項３】
受信用アンテナと、
この受信用アンテナの受信特性を変更させる特性変更手段と、
前記受信用アンテナにより受信された受信信号の受信品位を検出する受信品位検出手段と、
この受信品位検出手段による検出結果に基づいて前記受信用アンテナの受信特性を変更させるように前記特性変更手段を制御するアンテナ制御手段と、
を備え、
前記アンテナ制御手段は、
前記受信品位検出手段により検出された受信品位の値と予め設定された閾値とを比較する第１の比較手段と、
前記受信品位検出手段により検出された現在の受信品位の値と前回検出された受信品位の値とを比較する第２の比較手段と、
前記受信品位検出手段により検出された前回の受信品位の値と前記閾値とを比較する第３の比較手段と、
（１）前記第１の比較手段により受信品位の値が前記閾値より悪いと判断され、且つ、前記第２の比較手段により現在の受信品位の値が前回検出された受信品位の値より悪いと判断され、且つ、前記第３の比較手段により前回の受信品位の値が前記閾値より良いと判断された場合、又は、（２）前記第１の比較手段により受信品位の値が前記閾値より悪いと判断され、且つ、前記第２の比較手段により現在の受信品位の値が前回検出された受信品位の値より悪いと判断され、且つ、前記第３の比較手段により前回の受信品位の値が前記閾値より悪いと判断され、且つ、前回前記受信用アンテナの受信特性を変更した場合に、前記受信用アンテナの受信特性を変更させるように前記特性変更手段を制御する変更制御手段と、
を有することを特徴とする受信装置。
【請求項４】
受信用アンテナと、
この受信用アンテナの受信特性を変更させる特性変更手段と、
前記受信用アンテナにより受信された受信信号の受信品位を検出する受信品位検出手段と、
この受信品位検出手段による検出結果に基づいて前記受信用アンテナの受信特性を変更させるように前記特性変更手段を制御するアンテナ制御手段と、
予め定められた閾値を記憶するレジスタ手段と、
前記受信品位検出手段により検出された受信品位の値と前記レジスタ手段に記憶された閾値とを比較する比較手段と、
を備え、
前記アンテナ制御手段は、前記比較手段による比較結果から、前記受信品位検出手段により検出される受信品位の値が前記レジスタ手段に記憶された閾値よりも低い状態が予め定められた時間継続されたと判断した場合に、前記受信用アンテナの受信特性を変更させるように前記特性変更手段を制御する変更制御手段を有することを特徴とする受信装置。
【請求項５】
前記アンテナ制御手段は、前記比較手段による比較結果から、前記受信品位検出手段により検出された受信品位の値が前記レジスタ手段に記憶された閾値よりも高いと判断した場合に、前記レジスタ手段に記憶された閾値を現在記憶されている値よりも高い値に変更するように制御するレジスタ値変更制御手段を有することを特徴とする請求項４に記載の受信装置。
【請求項６】
前回の受信品位の値を記憶する第２のレジスタ手段と、
この第２のレジスタ手段に記憶された前回の受信品位の値と前記受信品位検出手段により検出された受信品位の値とを比較する第２の比較手段と、
を更に備え、
前記アンテナ制御手段は、前記比較手段による比較結果から、前記受信品位検出手段により検出された受信品位の値が前記レジスタ手段に記憶された閾値よりも低く、且つ、前記第２の比較手段による比較結果から、前記受信品位検出手段により検出された受信品位の値が前回の受信品位の値よりも悪くなったと判断した場合に、前記レジスタ手段に記憶された閾値を現在記憶されている値よりも低い値に変更するように制御するレジスタ値変更制御手段を有することを特徴とする請求項４に記載の受信装置。
【請求項７】
前記特性変更手段は、前記受信用アンテナの近傍に配置され、前記アンテナ制御手段による制御に基づいた電圧が印加されることにより当該受信用アンテナの受信特性を変更させる補助アンテナを有することを特徴とする請求項１〜６の何れか一項に記載の受信装置。
【請求項８】
前記受信用アンテナは複数用意され、前記特性変更手段は前記アンテナ制御手段による制御に基づいて当該複数の受信用アンテナの何れか一つを選択することを特徴とする請求１〜６の何れか一項に記載の受信装置。
【請求項９】
受信用アンテナの受信特性を変更させる特性変更回路と、
前記受信用アンテナにより受信された受信信号の受信品位を検出する受信品位検出回路と、
この受信品位検出回路による検出結果に基づいて前記受信用アンテナの受信特性を変更させるように前記特性変更回路を制御するアンテナ制御回路と、
を備え、
前記アンテナ制御回路は、
前記受信品位検出回路により検出された現在の受信品位の値と前回検出された受信品位の値とを比較する比較回路と、
この比較回路により現在の受信品位の値が前回検出された受信品位の値より悪くなったと判断された場合に、前記受信用アンテナの受信特性を変更させるように前記特性変更回路を制御する変更制御回路と、
を有することを特徴とする受信回路。
【請求項１０】
受信用アンテナの受信特性を変更させる特性変更回路と、
前記受信用アンテナにより受信された受信信号の受信品位を検出する受信品位検出回路と、
この受信品位検出回路による検出結果に基づいて前記受信用アンテナの受信特性を変更させるように前記特性変更回路を制御するアンテナ制御回路と、
を備え、
前記アンテナ制御回路は、
前記受信品位検出回路により検出された受信品位の値と予め設定された閾値とを比較する第１の比較回路と、
前記受信品位検出回路により検出された現在の受信品位の値と前回検出された受信品位の値とを比較する第２の比較回路と、
前記第１の比較回路により受信品位の値が前記閾値より悪いと判断され、且つ、前記第２の比較回路により現在の受信品位の値が前回検出された受信品位の値より悪いと判断された場合に、前記受信用アンテナの受信特性を変更させるように前記特性変更回路を制御する変更制御回路と、
を有することを特徴とする受信回路。
【請求項１１】
受信用アンテナの受信特性を変更させる特性変更回路と、
前記受信用アンテナにより受信された受信信号の受信品位を検出する受信品位検出回路と、
この受信品位検出回路による検出結果に基づいて前記受信用アンテナの受信特性を変更させるように前記特性変更回路を制御するアンテナ制御回路と、
を備え、
前記アンテナ制御回路は、
前記受信品位検出回路により検出された受信品位の値と予め設定された閾値とを比較する第１の比較回路と、
前記受信品位検出回路により検出された現在の受信品位の値と前回検出された受信品位の値とを比較する第２の比較回路と、
前記受信品位検出回路により検出された前回の受信品位の値と前記閾値とを比較する第３の比較回路と、
（１）前記第１の比較回路により受信品位の値が前記閾値より悪いと判断され、且つ、前記第２の比較回路により現在の受信品位の値が前回検出された受信品位の値より悪いと判断され、且つ、前記第３の比較回路により前回の受信品位の値が前記閾値より良いと判断された場合、又は、（２）前記第１の比較回路により受信品位の値が前記閾値より悪いと判断され、且つ、前記第２の比較回路により現在の受信品位の値が前回検出された受信品位の値より悪いと判断され、且つ、前記第３の比較回路により前回の受信品位の値が前記閾値より悪いと判断され、且つ、前回前記受信用アンテナの受信特性を変更した場合に、前記受信用アンテナの受信特性を変更させるように前記特性変更回路を制御する変更制御回路と、
を有することを特徴とする受信回路。
【請求項１２】
受信用アンテナの受信特性を変更させる特性変更回路と、
前記受信用アンテナにより受信された受信信号の受信品位を検出する受信品位検出回路と、
この受信品位検出回路による検出結果に基づいて前記受信用アンテナの受信特性を変更させるように前記特性変更回路を制御するアンテナ制御回路と、
予め定められた閾値を記憶するレジスタ回路と、
前記受信品位検出回路により検出された受信品位の値と前記レジスタ回路に記憶された閾値とを比較する比較回路と、
を備え、
前記アンテナ制御回路は、前記比較回路による比較結果から、前記受信品位検出回路により検出される受信品位の値が前記レジスタ回路に記憶された閾値よりも低い状態が予め定められた時間継続されたと判断した場合に、前記受信用アンテナの受信特性を変更させるように前記特性変更回路を制御する変更制御回路を有することを特徴とする受信回路。
【請求項１３】
前記アンテナ制御回路は、前記比較回路による比較結果から、前記受信品位検出回路により検出された受信品位の値が前記レジスタ回路に記憶された閾値よりも高いと判断した場合に、前記レジスタ回路に記憶された閾値を現在記憶されている値よりも高い値に変更するように制御するレジスタ値変更制御回路を有することを特徴とする請求項１２に記載の受信回路。
【請求項１４】
前回の受信品位の値を記憶する第２のレジスタ回路と、
この第２のレジスタ回路に記憶された前回の受信品位の値と前記受信品位検出回路により検出された受信品位の値とを比較する第２の比較回路と、
を更に備え、
前記アンテナ制御回路は、前記比較回路による比較結果から、前記受信品位検出回路により検出された受信品位の値が前記レジスタ回路に記憶された閾値よりも低く、且つ、前記第２の比較回路による比較結果から、前記受信品位検出回路により検出された受信品位の値が前回の受信品位の値よりも悪くなったと判断した場合に、前記レジスタ回路に記憶された閾値を現在記憶されている値よりも低い値に変更するように制御するレジスタ値変更制御回路を有することを特徴とする請求項１２に記載の受信回路。
【請求項１５】
前記特性変更回路は、前記受信用アンテナの近傍に配置され、前記アンテナ制御回路による制御に基づいた電圧が印加されることにより当該受信用アンテナの受信特性を変更させる補助アンテナを有することを特徴とする請求項９〜１４の何れか一項に記載の受信回路。
【請求項１６】
前記受信用アンテナは複数用意され、前記特性変更回路は前記アンテナ制御回路による制御に基づいて当該複数の受信用アンテナの何れか一つを選択することを特徴とする請求９〜１４の何れか一項に記載の受信回路。
【請求項１７】
受信用アンテナの受信特性を変更させる特性変更工程と、
前記受信用アンテナにより受信された受信信号の受信品位を検出する受信品位検出工程と、
この受信品位検出工程による検出結果に基づいて前記受信用アンテナの受信特性を変更させるように前記特性変更工程を制御するアンテナ制御工程と、
を含み、
前記アンテナ制御工程には、
前記受信品位検出工程により検出された現在の受信品位の値と前回検出された受信品位の値とを比較する比較工程と、
この比較工程により現在の受信品位の値が前回検出された受信品位の値より悪くなったと判断された場合に、前記受信用アンテナの受信特性を変更させるように前記特性変更工程を制御する変更制御工程と、
が含まれることを特徴とする受信方法。
【請求項１８】
受信用アンテナの受信特性を変更させる特性変更工程と、
前記受信用アンテナにより受信された受信信号の受信品位を検出する受信品位検出工程と、
この受信品位検出工程による検出結果に基づいて前記受信用アンテナの受信特性を変更させるように前記特性変更工程を制御するアンテナ制御工程と、
を含み、
前記アンテナ制御工程には、
前記受信品位検出工程により検出された受信品位の値と予め設定された閾値とを比較する第１の比較工程と、
前記受信品位検出工程により検出された現在の受信品位の値と前回検出された受信品位の値とを比較する第２の比較工程と、
前記第１の比較工程により受信品位の値が前記閾値より悪いと判断され、且つ、前記第２の比較工程により現在の受信品位の値が前回検出された受信品位の値より悪いと判断された場合に、前記受信用アンテナの受信特性を変更させるように前記特性変更工程を制御する変更制御工程と、
が含まれることを特徴とする受信方法。
【請求項１９】
受信用アンテナの受信特性を変更させる特性変更工程と、
前記受信用アンテナにより受信された受信信号の受信品位を検出する受信品位検出工程と、
この受信品位検出工程による検出結果に基づいて前記受信用アンテナの受信特性を変更させるように前記特性変更工程を制御するアンテナ制御工程と、
を含み、
前記アンテナ制御工程には、
前記受信品位検出工程により検出された受信品位の値と予め設定された閾値とを比較する第１の比較工程と、
前記受信品位検出工程により検出された現在の受信品位の値と前回検出された受信品位の値とを比較する第２の比較工程と、
前記受信品位検出工程により検出された前回の受信品位の値と前記閾値とを比較する第３の比較工程と、
（１）前記第１の比較工程により受信品位の値が前記閾値より悪いと判断され、且つ、前記第２の比較工程により現在の受信品位の値が前回検出された受信品位の値より悪いと判断され、且つ、前記第３の比較工程により前回の受信品位の値が前記閾値より良いと判断された場合、又は、（２）前記第１の比較工程により受信品位の値が前記閾値より悪いと判断され、且つ、前記第２の比較工程により現在の受信品位の値が前回検出された受信品位の値より悪いと判断され、且つ、前記第３の比較工程により前回の受信品位の値が前記閾値より悪いと判断され、且つ、前回前記受信用アンテナの受信特性を変更した場合に、前記受信用アンテナの受信特性を変更させるように前記特性変更工程を制御する変更制御工程と、
が含まれることを特徴とする受信方法。
【請求項２０】
受信用アンテナの受信特性を変更させる特性変更工程と、
前記受信用アンテナにより受信された受信信号の受信品位を検出する受信品位検出工程と、
この受信品位検出工程による検出結果に基づいて前記受信用アンテナの受信特性を変更させるように前記特性変更工程を制御するアンテナ制御工程と、
予め定められた閾値を記憶するレジスタ工程と、
前記受信品位検出工程により検出された受信品位の値と前記レジスタ工程に記憶された閾値とを比較する比較工程と、
を含み、
前記アンテナ制御工程には、前記比較工程による比較結果から、前記受信品位検出工程により検出される受信品位の値が前記レジスタ工程に記憶された閾値よりも低い状態が予め定められた時間継続されたと判断した場合に、前記受信用アンテナの受信特性を変更させるように前記特性変更工程を制御する変更制御工程が含まれることを特徴とする受信方法。 
【手続補正２】
【補正対象書類名】明細書
【補正対象項目名】００１１
【補正方法】変更
【補正の内容】
【００１１】
請求項４に記載の発明の受信装置は、
受信用アンテナ（例えば、図１のアンテナ３１）と、
この受信用アンテナの受信特性を変更させる特性変更手段（例えば、図１の可変特性アンテナ部３００）と、
前記受信用アンテナにより受信された受信信号の受信品位を検出する受信品位検出手段（例えば、図１の受信品位検出回路２６）と、
この受信品位検出手段による検出結果に基づいて前記受信用アンテナの受信特性を変更させるように前記特性変更手段を制御するアンテナ制御手段（例えば、図１２のアンテナ制御回路２７ｃ）と、
予め定められた閾値を記憶するレジスタ手段（例えば、図１２のレジスタ２７７１）と、
前記受信品位検出手段により検出された受信品位の値と前記レジスタ手段に記憶された閾値とを比較する比較手段（例えば、図１２の比較器２７６１）と、
を備え、
前記アンテナ制御手段は、前記比較手段による比較結果から、前記受信品位検出手段により検出される受信品位の値が前記レジスタ手段に記憶された閾値よりも低い状態が予め定められた時間継続されたと判断した場合に、前記受信用アンテナの受信特性を変更させるように前記特性変更手段を制御する変更制御手段（例えば、図１２の制御回路２７９ｃ）を有することを特徴とする。 
【手続補正３】
【補正対象書類名】明細書
【補正対象項目名】００１９
【補正方法】変更
【補正の内容】
【００１９】
請求項１２に記載の発明の受信回路は、
受信用アンテナの受信特性を変更させる特性変更回路（例えば、図１の可変特性アンテナ部３００）と、
前記受信用アンテナにより受信された受信信号の受信品位を検出する受信品位検出回路（例えば、図１の受信品位検出回路２６）と、
この受信品位検出回路による検出結果に基づいて前記受信用アンテナの受信特性を変更させるように前記特性変更回路を制御するアンテナ制御回路（例えば、図１２のアンテナ制御回路２７ｃ）と、
予め定められた閾値を記憶するレジスタ回路（例えば、図１２のレジスタ２７７１）と、
前記受信品位検出回路により検出された受信品位の値と前記レジスタ回路に記憶された閾値とを比較する比較回路（例えば、図１２の比較器２７６１）と、
を備え、
前記アンテナ制御回路は、前記比較回路による比較結果から、前記受信品位検出回路により検出される受信品位の値が前記レジスタ回路に記憶された閾値よりも低い状態が予め定められた時間継続されたと判断した場合に、前記受信用アンテナの受信特性を変更させるように前記特性変更回路を制御する変更制御回路（例えば、図１２の制御回路２７９ｃ）を有することを特徴とする。 
【手続補正４】
【補正対象書類名】明細書
【補正対象項目名】００２７
【補正方法】変更
【補正の内容】
【００２７】
請求項２０に記載の発明の受信方法は、
受信用アンテナの受信特性を変更させる特性変更工程（例えば、図１３のステップＤ１９）と、
前記受信用アンテナにより受信された受信信号の受信品位を検出する受信品位検出工程（例えば、図１３のステップＤ３）と、
この受信品位検出工程による検出結果に基づいて前記受信用アンテナの受信特性を変更させるように前記特性変更工程を制御するアンテナ制御工程（例えば、図１３のステップＤ１９）と、
予め定められた閾値を記憶するレジスタ工程（例えば、図１３のステップＤ１）と、
前記受信品位検出工程により検出された受信品位の値と前記レジスタ工程に記憶された閾値とを比較する比較工程（例えば、図１３のステップＤ５）と、
を含み、
前記アンテナ制御工程には、前記比較工程による比較結果から、前記受信品位検出工程により検出される受信品位の値が前記レジスタ工程に記憶された閾値よりも低い状態が予め定められた時間継続されたと判断した場合に、前記受信用アンテナの受信特性を変更させるように前記特性変更工程を制御する変更制御工程（例えば、図１３のステップＤ１９）が含まれることを特徴とする。 
【手続補正５】
【補正対象書類名】明細書
【補正対象項目名】００４９
【補正方法】変更
【補正の内容】
【００４９】
図３は、受信品位検出回路２６とアンテナ制御回路２７の動作の流れを説明するためのフローチャートである。まず、アンテナ制御回路２７は、受信品位の値と最初に比較するための比較値の初期値をレジスタ２７１に記憶させる。初期値は所定の値でもよいし、現在の受信品位の値を初期値としてレジスタ２７１に記憶してもよい。（ステップＡ１）。そして受信品位検出回路２６は、現在の受信品位を算出する（ステップＡ２）。比較器２７２は現在の受信品位の値とレジスタ２７１に記憶された前回の受信品位の値（又は初期値）とを比較し、現在の受信品位の値が前回の受信品位の値以上となり、受信品位が前回より良くなった場合（ステップＡ３；Ｎｏ）はステップＡ５に進む。一方、現在の受信品位の値が前回の受信品位未満となり、受信品位が前回の値より悪くなっている場合（ステップＡ３；Ｙｅｓ）、比較器２７２は信号Ｓ２として“１”を出力する。これにより、切替器２７３は信号Ｓ３の電圧レベルをＶ０［Ｖ］からＶ１［Ｖ］、或いはＶ１［Ｖ］からＶ０［Ｖ］に切り替える（ステップＡ４）。そしてアンテナ制御回路２７はレジスタ２７１の記憶内容を現在の受信品位の値に更新する（ステップＡ５）。 
【手続補正６】
【補正対象書類名】明細書
【補正対象項目名】００６７
【補正方法】変更
【補正の内容】
【００６７】
図７は、受信品位検出回路２６とアンテナ制御回路２７ａの動作の流れを説明するためのフローチャートである。まず、アンテナ制御回路２７ａは、最初に受信品位の値と比較するための比較値の初期値をレジスタ２７１ａに記憶させる（ステップＢ１）。受信品位検出回路２６は、現在の受信品位を算出する（ステップＢ２）。比較器２７４ａは現在の受信品位の値とレジスタ２７１ａに記憶された閾値を比較し、現在の受信品位の値が閾値以上の場合（ステップＢ３；Ｎｏ）、比較器２７４ａは信号Ｓ４ａとして“０”を出力し、ステップＢ６に進む。一方、現在の受信品位の値が閾値より悪い場合（ステップＢ３；Ｙｅｓ）、比較器２７４ａは信号Ｓ４ａとして“１”を出力する。 
【手続補正７】
【補正対象書類名】明細書
【補正対象項目名】００６８
【補正方法】変更
【補正の内容】
【００６８】
比較器２７２ａは現在の受信品位の値とレジスタ２７１ａに記憶された前回の受信品位の値（又は初期値）を比較し、現在の受信品位の値が前回の受信品位の値以上の場合（ステップＢ４；Ｎｏ）、ステップＢ６に進む。一方、現在の受信品位の値が前回の受信品位の値より悪くなっている場合（ステップＢ４；Ｙｅｓ）、信号Ｓ２ａとして“１”を出力する。そして、切替器２７３ａは信号Ｓ３の電圧レベルをＶ０［Ｖ］からＶ１［Ｖ］、或いはＶ１［Ｖ］からＶ０［Ｖ］に切り替える（ステップＢ５）。続いて、アンテナ制御回路２７ａはレジスタ２７１ａの記憶内容を現在の受信品位の値に更新する（ステップＢ６）。 
【手続補正８】
【補正対象書類名】明細書
【補正対象項目名】００７１
【補正方法】変更
【補正の内容】
【００７１】
続いて時間ｔ２の時、受信品位の値は時間ｔ１の時の受信品位の値より低く（悪く）なっているため、比較器２７２ａは信号Ｓ２ａとして再度“１”を出力する。更に受信品位の値は閾値より低く（悪く）なっているため、比較器２７４ａは信号Ｓ４ａとして“１”を出力する。これにより切替器２７３ａは信号Ｓ３の電圧レベルをＶ０［Ｖ］からＶ１［Ｖ］に切り替える。補助アンテナ３２には電圧Ｖ１［Ｖ］が印加され、アンテナ３１は第２の受信特性で電波を受信する。以降、このような制御を繰り返す。 
【手続補正９】
【補正対象書類名】明細書
【補正対象項目名】００８２
【補正方法】変更
【補正の内容】
【００８２】
図１０は、受信品位検出回路２６とアンテナ制御回路２７ｂの動作の流れを説明するためのフローチャートである。まず、アンテナ制御回路２７ｂは、最初に現在の受信品位の値と比較するための比較値の初期値をレジスタ２７１ｂに記憶させる。初期値は所定の値でもよいし、現在の受信品位の値を初期値としてレジスタ２７１ｂに記憶してもよい。（ステップＣ１）。受信品位検出回路２６は、現在の受信品位を算出する（ステップＣ２）。比較器２７４ｂは現在の受信品位の値とレジスタ２７１ｂに記憶された閾値を比較し、現在の受信品位の値が閾値以上の場合（ステップＣ３；Ｎｏ）、比較器２７４ｂは信号Ｓ４ｂとして“０”を出力し、ステップＣ８に進む。一方、現在の受信品位の値が閾値より悪い場合（ステップＣ３；Ｙｅｓ）、比較器２７４ｂは信号Ｓ４ｂとして“１”を出力する。 
【手続補正１０】
【補正対象書類名】明細書
【補正対象項目名】００８６
【補正方法】変更
【補正の内容】
【００８６】
続いてアンテナ制御回路２７ｂはレジスタ２７１ｂの記憶内容を現在の受信品位の値に更新する（ステップＣ８）。
【手続補正１１】
【補正対象書類名】明細書
【補正対象項目名】０１２４
【補正方法】変更
【補正の内容】
【０１２４】
〔第５の実施の形態〕
次に、第５の実施形態を説明する。
第５の実施の形態における受信装置の構成は、第４の実施の形態にて説明したアンテナ制御回路２７ｃを、図１５に示すアンテナ制御回路２７ｄとしたものである。従って、以下では、同一の構成要素については説明を省略し、アンテナ制御回路２７ｄを中心に説明する。 
【手続補正１２】
【補正対象書類名】明細書
【補正対象項目名】０１４７
【補正方法】変更
【補正の内容】
【０１４７】
また、図１８は、最大閾値を「ＴＨＡ」、最小閾値を「ＴＨＣ」とし、閾値の引き下げ量α及び引き上げ量βをともに「（ＴＨＡ−ＴＨＢ）／２」とした場合を示している。従って、同図の場合、閾値として、「ＴＨＡ」、「ＴＨＣ」、及び、「ＴＨＡ」と「ＴＨＣ」の中間値である「ＴＨＢ」が設定される、即ち３段階の閾値の変更が行われることとなる。但し、ＴＨＡ＞ＴＨＢ＞ＴＨＣ、である。